(57)【特許請求の範囲】
【請求項１】
ミストを噴霧する複数のミストノズルが洗い場壁面に水平方向に並設される浴室装置において、
全ての前記ミストノズルは、前記洗い場壁面に配置された洗い場水栓を中心として水平方向に左右対称となるように配置されるとともに、標準身長の利用者が洗い場面から標準高さの座面を有する風呂椅子に着座した状態で該利用者の肩から下方の部位にミストが当たる高さ位置に配置され、
各ミストノズルは、ミストの噴霧軸が、前記洗い場水栓から前方に直線的に伸びる仮想線と交差するとともに、水平方向に対して僅かに下を向くように設置されていることを特徴とする浴室装置。
【請求項２】
洗面器類を載置するための湯桶台を更に備え、
該湯桶台は、前端縁が前記ミストノズルの先端部より前方に位置するように取り付けられていることを特徴とする請求項１に記載の浴室装置。
【請求項３】
前記洗い場壁面に取り付けられたステーを介して下面が支持されるカウンタ台と、
該カウンタ台の下面空間を覆い隠すカウンタカバーと
を更に備え、
前記カウンタ台は、前記ミストノズルの上方近傍に取り付けられ、前記カウンタカバーによって、該ミストノズルに給湯する通水路と前記ステーとを覆い隠すようにしてあることを特徴とする請求項１又は２に記載の浴室装置。
【発明の詳細な説明】
【技術分野】
【０００１】
本発明は、ミストを噴霧する複数のミストノズルが洗い場壁面に水平方向に並設される浴室装置に関する。
【背景技術】
【０００２】
従来、ミスト（霧状の湯水）を噴霧する浴室装置が知られている。この浴室装置は、噴霧するミストによってマイナスイオンなどを発生させて利用者に癒しを与えるリラクゼーション効果を有する。また、高温の湯水を噴霧することにより、浴室内をサウナ状態としたり、気温の低い浴室内を暖めたりする場合に利用されている。
【０００３】
浴室装置には、複数のミストノズルが設置されており、これらのミストノズルからミストに噴出するようになっている。かかるミストノズルは、洗い場床に対して鉛直方向に沿って並設されて立ち状態の利用者の体表面に向けてミストが当たるようにされたものの他に、水平方向に沿って並設されて浴室洗い場に着座する利用者の胸、腹及び脚などに向けてミストが当たるようにされたものが提案されている（例えば、特許文献１乃至特許文献３）。
【先行技術文献】
【特許文献】
【０００４】
【特許文献１】特開２００４−４９６７７号公報
【特許文献２】特開２００１−２７６１６７号公報
【特許文献３】特開平０９−１０８２９３号公報
【発明の概要】
【発明が解決しようとする課題】
【０００５】
しかしながら、先に提案された浴室装置は、全てのミストノズルの噴霧軸が同じ方向を向くように設置されているため、同一方向から噴霧されたミストが利用者の身体表面に当たるにすぎず、利用者の身体を十分に加温することができない。
【０００６】
本発明はかかる事情を鑑みてなされたものであり、洗い場面に水平方向に並べて設置されている複数のミストノズルを、洗い場水栓を中心として水平方向に左右対称となるように配置するとともに標準身長の利用者が洗い場面から標準高さの座面を有する風呂椅子に着座した状態で該利用者の肩から下方の部位にミストが当たる高さ位置に配置し、且つ、ミストの噴霧軸が、洗い場水栓から前方に直線的に伸びる仮想線と交差するとともに、水平方向に対して僅かに下を向くように、各ミストノズルを設置することにより、噴霧されるミストを、前方右側及び前方左側から包み込むように利用者に当て、且つ、利用者の肩から下方の部位に当てることができる浴室装置を提供することを目的とする。
【課題を解決するための手段】
【０００７】
本発明に係る浴室装置は、ミストを噴霧する複数のミストノズルが洗い場壁面に水平方向に並設される浴室装置において、全ての前記ミストノズルは、前記洗い場壁面に配置された洗い場水栓を中心として水平方向に左右対称となるように配置されるとともに、標準身長の利用者が洗い場面から標準高さの座面を有する風呂椅子に着座した状態で該利用者の肩から下方の部位にミストが当たる高さ位置に配置され、各ミストノズルは、ミストの噴霧軸が、前記洗い場水栓から前方に直線的に伸びる仮想線と交差するとともに、水平方向に対して僅かに下を向くように設置されていることを特徴とする。
【０００８】
本発明にあっては、全てのミストノズルを洗い場水栓を中心として水平方向に左右対称となるように配置することにより、ミストノズルが洗い水栓と向き合うように着座する利用者の右側前方及び左側前方に位置する。
また、ミストの噴霧軸が洗い場水栓から前方に直線的に伸ばした仮想線と交差するように各ミストノズルを設置することにより、噴霧されるミストが右前方向及び左前方向から利用者の体表面に当たり、利用者を包み込むように加温して大きなリラクゼーション効果を与える。
また、ミストノズルを、標準身長の利用者が洗い場面から標準高さの座面を有する風呂椅子に着座した状態で利用者の肩から下方の部位にミストが当たる高さ位置に配置し、ミストの噴霧軸が水平方向に対して僅かに下を向くように設置されていることにより、ミストノズルから噴霧されたミストが利用者の頭部に当たることなく肩から下方の部位を加温する。
【０００９】
また、本発明に係る浴室装置は、洗面器類を載置するための湯桶台を更に備え、該湯桶台は、前端縁が前記ミストノズルの先端部より前方に位置するように取り付けられているように構成されてもよい。
【００１０】
本発明にあっては、前端縁がミストノズルの先端部より前方に位置するように湯桶台を取り付けることにより、湯桶台が利用者とミストノズルとの間に介在して利用者をミストノズルからある程度の距離をあけて着座させる。その結果、利用者が噴霧直後の高温状態にあるミストが当たって火傷を覆うような事態を回避する。
【００１１】
更にまた、本発明に係る浴室装置は、前記洗い場壁面に取り付けられたステーを介して下面が支持されるカウンタ台と、該カウンタ台の下面空間を覆い隠すカウンタカバーとを更に備え、前記カウンタ台は、前記ミストノズルの上方近傍に取り付けられ、前記カウンタカバーによって、該ミストノズルに給湯する通水路と前記ステーとを覆い隠すようにしてあるように構成されてもよい。
【００１２】
本発明にあっては、カウンタ台を更に設けることにより、洗面器などを湯桶台から一時的に待避させて載せておく。また、カウンタ台をミストノズルの上方近傍に設置し、その下面空間をカウンタカバーで覆い隠すことにより、ミストノズルに給湯する通水路とカウンタ台を下面から支持するステーとを覆い隠して意匠性を高める。
【発明の効果】
【００１３】
本発明にあっては、着座状態の利用者を包み込むように加温することにより、大きなリラクゼーション効果を与えることができる。また、着座状態の利用者の肩から下の部分を集中的に加温することにより、頭部がのぼせることがないようにできる。
【図面の簡単な説明】
【００１４】
【図１】本発明に係る浴室装置の外観を示す上方正面からの斜視図である。
【図２】本発明に係る浴室装置の外観を示す下方正面からの斜視図である。
【図３】本発明に係る浴室装置の内部構造を示す平面図である。
【図４】本発明に係る浴室装置の内部構造を示す正面図である。
【図５】本発明に係る浴室装置の内部構造を示すＡ−Ａで切断した正面視左側断面図である。
【図６】本発明に係る浴室装置の内部構造を示すＢ−Ｂで切断した正面視左側断面図である。
【図７】本発明に係る浴室装置が設置された浴室を示す説明図である。
【図８】本発明に係る浴室装置が噴霧するミストの状態を示す説明図であり、（ａ）は側面から見た説明図、（ｂ）は平面として見た説明図である。
【発明を実施するための形態】
【００１５】
実施の形態１．
本発明に係る浴室装置について、実施の形態を示す図に基づいて以下説明する。図１乃至図７において、９０は、浴室装置である。浴室装置９０は、洗い場壁面９２に取り付けられている。浴室装置９０は、ミストユニット１と、洗い場水栓ユニット２と、シャワーユニット６とを内部構造として備える。なお、本実施の形態においては、湯水の上流側を「基端」とし、下流側を「先端」として説明する。
【００１６】
洗い場水栓ユニット２は、水栓本体２０と、吐水量調整ハンドル２１と、吐水口２２と、止水栓２２０と、温度調整ハンドル２３と、吐水口接続部２４と、Ｌ型管継手２５と、ナット２６と、水栓用通水管２７と、床取付用管継手２８と、パッキン２９とを備える。
【００１７】
水栓本体２０は、洗い場壁面９２側に配置されている。また、水栓本体２０は、図１及び図２に示すように、正面視右側面に吐水量調整ハンドル２１が取り付けられ、正面視左側面に温度調整ハンドル２３が取り付けられている。また、水栓本体２０は、正面視下側面から吐水口２２及び止水栓２２０が突き出ている。吐水口２２は、水栓本体２０が内蔵する水槽に溜まる湯水を吐水する。吐水口２２から吐水される湯水は、吐水量調整ハンドル２１により吐水量が調整され、温度調整ハンドル２３により温度が調整される。止水栓２２０は、吐水量調整ハンドル２１とは別に設けられ、湯水の吐水を止める。
【００１８】
吐水口接続部２４は、図４及び図６に示すように、Ｌ型管継手２５の先端側に設けられ、水栓本体２０が内蔵する水槽に連通接続されている。Ｌ型管継手２５は、洗い場壁面９２にねじ止めされた取付金具により支持されている。また、Ｌ型管継手２５は、給湯用と給水用との２種類が存在し、基端側が水栓用通水管２７の先端に連通接続され、接続部分がナット２６により締め付けられて水密にされている。
【００１９】
水栓用通水管２７は、給湯用のＬ型管継手２５の基端側と給水用のＬ型管継手２５の基端側とから、それぞれ鉛直方向に垂れ下がるように設置されている。また、水栓用通水管２７は、基端部分が洗い場床９１にあけられた貫通孔を通って床下の給湯給水管（図示せず）に連通接続されている。水栓用通水管２７は、床取付用管継手２８により洗い場床９１に固定され、パッキン２９により締め付けられて床取付用管継手２８との間を水密にされている。
【００２０】
ミストユニット１は、複数のミストノズル１０と、ミスト用通水管１１とを備える。ミスト用通水管１１は、図４乃至図６に示すように、給湯用の水栓用通水管２７の途中に設けられたＴ型管継手２７０から分岐し、分岐地点からＬ型管継手２５の下方あたりまで引きまわされている。また、ミスト用通水管１１は、図４に示すように、Ｌ型管継手２５の下方近傍で正面視左右方向に分岐して水平方向に真っ直ぐ伸びている（以下「分岐領域」という）。
また、ミスト用通水管１１の分岐領域は、図８（ｂ）に示すように、分岐地点から左右に直線的に伸ばした仮想線Ｌ２と分岐領域の軸心との角度θ２が５°以上９０°未満となるように、内向くように設置されている。その結果、ミストノズル１０は、水栓本体２０から前方に直線的に伸ばした仮想線Ｌ１と噴霧軸ＡＳとがなす角度θ３が５°以上９０°未満となるように、噴霧軸ＡＳと仮想線Ｌ１とが交差するように設置されている。
【００２１】
また、ミスト用通水管１１は、図８（ａ）に示すように、標準身長の利用者Ｕが洗い場面９１から標準高さの座面７０を有する風呂椅子７に着座した状態で該利用者Ｕの肩から下方の部位にミストが当たる高さ位置に設置されている。
具体的には、利用者Ｕは、日本人の成人男性及び成人女性であり、標準身長は、１６０ｃｍ〜１７０ｃｍである。また、標準座高は、標準身長に対して８０ｃｍ〜９０ｃｍである。また、風呂椅子７の座面７０は、洗い場面９１からの標準高さが２０〜３０ｃｍである。
また、ミストノズル１０から噴霧されるミストは、噴霧距離に応じて拡散していく。そのため、ミストノズル１０が利用者Ｕの肩の高さ位置に設置された場合には、噴霧されたミストが利用者Ｕの頭部に当たることとなる。そこで、ミストノズル１０は、標準身長の利用者Ｕの肩と胸との間の高さ、即ち、標準座高に対して５０ｃｍ〜６０ｃｍ（標準高さの座面７０を有する風呂椅子７に着座した状態で洗い場面９１から７０ｃｍ〜９０ｃｍ）の高さ位置に設置されている。なお、７０ｃｍ〜９０ｃｍとは、利用者Ｕの肩と胸との間の高さに座面の標準的高さを加算した値である。
その結果、ミストノズル１０は、図８（ａ）に示すように、洗い場面９１から７０ｃｍ〜９０ｃｍの高さに設置されることにより、標準身長の利用者Ｕが洗い場面９１から標準高さの座面７０を有する風呂椅子７に着座した状態で利用者Ｕの肩から下方の部位にミストが当たる高さ位置に設置されることとなる。
【００２２】
また、ミスト用通水管１１は、分岐領域の管周面に複数の貫通孔（図示せず）が軸心方向に沿って所定の間隔をあけて設けられており、各貫通孔にミストノズル１０が取り付けられている。このとき、ミストノズル１０は、図８に示すように、水平方向と噴霧軸ＡＳとの角度θ１が５°以上９０°未満となるように、噴霧軸ＡＳが下向くように取り付けられている。なお、噴霧軸ＡＳとは、ミストノズル１０から拡散するミストの広がりＡ−Ａの中心となる軸をさす。その結果、ミストノズル１０は、水平方向に対して僅かに下を向くように設置されている。また、ミストノズル１０は、図８（ｂ）に示すように、水栓本体２０を中心として水平方向に左右対称となるように並べて設置されている。
【００２３】
シャワーユニット６は、シャワーヘッド６０と、シャワーチューブ６１と、シャワーバー６２と、シャワー用通水管６３とを備える。シャワー用通水管６３は、図４に示すように、基端が洗い場壁面９２の裏側から引きまわされ、正面視左方向に水平に伸びている。また、シャワー用通水管６３は、図７に示すように、先端側がシャワーバー６２内に設けられた貫通路（図示せず）を通り、シャワーチューブ６１の基端に連通接続されている。シャワーチューブ６１は、先端にシャワーヘッド６０が取り付けられる。
【００２４】
また、浴室装置９０は、図１及び図２に示すように、湯桶台３と、カウンタ４と、カウンタカバー５とを外観の部材として備える。カウンタ４は、図１乃至図６に示すように、水平方向に伸びた長手辺を有する平面視長方形の板状をなし、洗面器類を載せるための載置面４０と、下面４１と、逆Ｌ型ステー４２とを備える。カウンタ４は、載置面４０が上向きにされ、シャワー用通水管６３及びミスト用通水管１１の上方近傍に設置されている。逆Ｌ型ステー４２は、図６に示すように、洗い場壁面９２から突き出るようにねじ止めされ、下面４１を下方から支えている。
【００２５】
カウンタカバー５は、第１カバー５０と、第２カバー５１とに分割されている。第１カバー５０は、鉛直方向に伸びた長手辺を有する正面視略長方形の正面と、正面の左右端を洗い場壁面９２に向けて折り曲げた側面とを備える。第１カバー５０は、洗い場壁面９２にねじ止め固定され、カウンタ４の下面空間Ｓ１に配置されたＬ型管継手２５と、ナット２６と、水栓用通水管２７と、床取付用管継手２８と、パッキン２９と、ミスト用通水管１１の分岐領域以外の部分とを覆い隠す。
【００２６】
第２カバー５１は、左右に分割され、水平方向に伸びた長手辺を有する正面視略長方形の正面と、正面の左右端を洗い場壁面９２に向けて折り曲げた側面と、正面の下端を洗い場壁面９２に向けて折り曲げた底面とを備える。また、第２カバー５１は、正面に複数の貫通孔が設けられている。第２カバー５１は、第１カバー５０の左右側面にそれぞれ嵌め込み固定され、カウンタ４の下面空間Ｓ１に配置されたミスト用通水管１１の分岐領域と、逆Ｌ型ステー４２と、シャワー用通水管６３とを覆い隠す。
【００２７】
また、第２カバー５１は、正面に設けられた貫通孔からミストノズル１０の先端部がのぞいている。第２カバー５１は、図１及び図２に示すように、噴霧軸ＡＳが内向き且つ下向きとなるように設置されているミストノズル１０の先端部が埋もれることがないように変形的な形状となっている。具体的には、第２カバー５１は、上端縁が下端縁より前方に位置するような傾斜をなすとともに、第１カバー５０から離れた側端縁が第１カバー５０寄りの側端縁より前方に位置するような傾斜をなす形状となっている。
【００２８】
湯桶台３は、洗面器などを載せるため載置面を備える平面視略四角形状の板部材である。また、湯桶台３は、洗い場側面９２にねじ止めされた取付金具により支持固定され、洗い場側面９２側から張り出すように設置されている。このとき、湯桶台３は、載置面の前端縁３１がミストノズル１０の先端部より前方に位置するように設置されている。
【００２９】
このように、浴室装置９０は、複数の構成要素を備える。浴室装置９０は、各構成要素が以下の作用を発揮することにより、上述する発明の効果を奏する。
【００３０】
浴室装置９０は、全てのミストノズル１０が水栓本体２０を中心として水平方向に左右対称となるように設置されていることにより、利用者Ｕが水栓本体２０と向き合うように着座した場合、ミストノズル１０の位置が利用者Ｕの右前方向及び左前方向となる。
【００３１】
また、浴室装置９０は、ミストノズル１０の噴霧軸ＡＳが水栓本体２０から前方に直線的に伸ばした仮想線Ｌ１と交差するようにしてあることにより、ミストノズル１０から噴霧されるミストが利用者Ｕを右前方向及び左前方向から包み込むように温めて大きなリラクゼーション効果を与える。
【００３２】
また、浴室装置９０は、全てのミストノズル１０が、標準身長の利用者Ｕが洗い場面９１から標準高さの座面７０を有する風呂椅子７に着座した状態で利用者Ｕの肩から下方の部位にミストが当たる高さ位置に並べて設置されていることにより、ミストノズル１０から噴霧されるミストが利用者Ｕの肩より下方の部位、即ち、肩、胸、腕、腹及び脚などに当たり、これらの部位を集中的に加温する。また、利用者Ｕの頭部に当たることがないので、利用者Ｕがのぼせて不快な思いをすることがない。
【００３３】
また、浴室装置９０は、湯桶台３が水栓本体２０の下方位置に設置されることにより、水栓本体２０の吐水口２２から吐水される湯水が湯桶台３の載置面に載せられた洗面器類に溜まる。
【００３４】
また、浴室装置９０は、湯桶台３の先端縁３１がミストノズル１０の先端部より前方に位置するように設置されていることにより、利用者Ｕの着座位置とミストノズル１０との間に適切な距離ができ、噴霧直後の高温状態にあるミストが利用者Ｕに直接当たって火傷することがないようにする。
【００３５】
また、浴室装置９０は、カウンタ４を備えることにより、湯桶台３に載せられた洗面器類がミストノズル１０からの噴霧を妨げるおそれある場合、この洗面器類をカウンタ４の載置面４０に一時的に待避させる。
【００３６】
また、浴室装置９０は、カウンタカバー５により、カウンタ４の下面空間Ｓ１に存在する逆Ｌ型ステー４２やミスト用通水管１１などの内部構造を覆い隠して頻雑な印象とならないように意匠性を保つ。
【００３７】
実施の形態２．
なお、上述した実施の形態１において、全てのミストノズル１０は、先端部の噴霧口から噴霧されるミストの流量が同じとなる一例を説明した。しかし、本発明は、これに限定されるものでなく、例えば、ミストノズル１０毎に、各噴霧口から噴霧されるミストの流量が異なる場合であってもよい。
【００３８】
実施の形態２において、ミストノズル１０は、図８（ｂ）に示すように、水栓本体２０を中心として水平方向に左右対象となるように並べて設置されている。各ミストノズル１０は、水栓本体２０から離れるに応じて先端部の噴霧口が大径となり、ミストの流量が大きくなるように設置されている。
【００３９】
その結果、水栓本体２０から離れたミストノズル１０から噴霧されたミストは、その流量が水栓本体２０寄りのミストノズル１０から噴霧されたミストの流量より大きくなり、利用者Ｕのまわりにミストの湯壁を形成する。
ミストの湯壁は、浴室内の冷たい空気を遮断して、壁の内側にいる利用者Ｕを温める。また、ミストの湯壁は、水栓本体２０寄りのミストノズル１０から噴霧されたミストが外部に飛び散ることを遮断して、壁の内側の空気を効率良く暖める。
【００４０】
なお、その他の構成及び効果については、実施の形態１と同様であるから、対応する部分に同じ符号を付することにより、その説明を省略する。
【符号の説明】
【００４１】
１  ミストユニット
１０  ミストノズル
１１  ミスト用通水管
２０  水栓本体
２２  吐水口
２５  Ｌ型管継手
２７  水栓用通水管
２８  床取付用管継手
３  湯桶台
３０  取付金具
３１  前端縁
４  カウンタ
４０  載置面
４１  下面
５  カウンタカバー
５０  第１カバー
５１  第２カバー
６０  シャワーヘッド
６１  シャワーチューブ
６２  シャワーバー
６３  シャワー用通水管
９０  浴室装置
９１  洗い場床
９２  洗い場壁面
【図１】
0005511011.tif 000002
【図２】
0005511011.tif 000003
【図３】
0005511011.tif 000004
【図４】
0005511011.tif 000005
【図５】
0005511011.tif 000006
【図６】
0005511011.tif 000007
【図７】
0005511011.tif 000008
【図８】
0005511011.tif 000009